(57)【要約】【課題】「デフォルトでは全阻止、許可条件に一致で一次通過、その一次通過に阻止条件を適用して最終的通過許可」という制限構成をとった映像表示装置およびテレビシステムを提供する。【解決手段】各番組に対応した番組情報を伝送するデジタル放送を受信する映像表示装置において、各番組の視聴を許可するための許可用の第１の情報を設定可能な第１の設定手段と、各番組の視聴を阻止するための阻止用の第２の情報を設定可能な第２の設定手段と、第１の設定手段にて設定された第１の情報と各番組とを比較し、合致する第１の番組があった場合は第２の設定手段にて設定された第２の情報と第１の番組とを比較し、合致しない第２の番組があった場合はこの第２の番組の視聴を許可する制御手段とを具備する。【選択図】図１９
2015019173.tif 000002
【特許請求の範囲】
【請求項１】
各番組に対応した番組情報を多重して伝送するデジタル放送を受信する映像表示装置において、
前記各番組の視聴を許可するための許可用のキーワードまたはジャンルに関する第１の情報を設定可能な第１の設定手段と、
前記各番組の視聴を阻止するための阻止用のキーワードまたはジャンルに関する第２の情報を設定可能な第２の設定手段と、
前記第１の設定手段によって設定された前記第１の情報と前記各番組の前記番組情報とを比較し、合致する第１の番組があった場合は前記第２の設定手段によって設定された前記第２の情報と前記第１の番組の前記番組情報とを比較し、合致しない第２の番組があった場合はこの第２の番組の視聴を許可する制御手段とを具備することを特徴とする映像表示装置。
【請求項２】
前記制御手段は、手動で前記番組の視聴を許可することを可能とし、前記第１の設定手段によって設定された前記第１の情報と前記各番組の前記番組情報とを比較して、合致しない第３の番組があった場合には、前記手動で許可した前記番組と前記第３の番組とをさらに比較して合致すれば前記視聴を許可することを特徴とする請求項１記載の映像表示装置。
【請求項３】
前記制御手段は、手動で前記番組の視聴を許可することを可能とし、前記第２の設定手段によって設定された前記第２の情報と前記各番組の前記番組情報とを比較して、合致する第４の番組があった場合には、前記手動で許可した前記番組と前記第４の番組とをさらに比較して合致すれば前記視聴を許可することを特徴とする請求項１記載の映像表示装置。
【請求項４】
前記映像表示装置は、前記各番組を録画する録画機能を有し、
前記制御手段は、手動で前記番組の前記録画を許可することを可能とし、前記第１の設定手段によって設定された前記第１の情報と前記各番組の前記番組情報とを比較して、合致しない第３の番組があった場合には、前記手動で許可した前記番組と前記第３の番組とをさらに比較して合致すれば前記録画を許可することを特徴とする請求項２記載の映像表示装置。
【請求項５】
前記映像表示装置は、前記各番組を録画する録画機能を有し、
前記制御手段は、手動で前記番組の前記録画を許可することを可能とし、前記第２の設定手段によって設定された前記第２の情報と前記各番組の前記番組情報とを比較して、合致する第４の番組があった場合には、前記手動で許可した前記番組と前記第４の番組とをさらに比較して合致すれば前記録画を許可することを特徴とする請求項３記載の映像表示装置
【請求項６】
前記制御手段は前記第２の番組の視聴または録画を許可すると判定した場合、前記第２の番組を電子番組表に第１の表示状態で表示させることを特徴とする請求項１記載の映像表示装置。
【請求項７】
前記制御手段は前記第２の番組の視聴または録画を許可すると判定し、特定の映像表示装置であった場合は、前記第２の番組を電子番組表の画面上に第１の表示状態とは異なる第２の表示状態で表示させることを特徴とする請求項１記載の映像表示装置。
【請求項８】
前記特定の映像表示装置は、前記番組に関する視聴または録画を許可するか否かを決定することを特徴とする請求項７記載の映像表示装置。
【請求項９】
前記特定の映像表示装置は、学校以外の外部で前記番組に関する視聴または録画を許可するか否かを決定することを特徴とする請求項７記載の映像表示装置。
【請求項１０】
前記制御手段は、前記各番組が記録手段によって記録された録画済番組と前記第１の情報とを比較し、合致する第１の番組があった場合は前記第２の情報と前記第１の番組の前記番組情報とを比較し、合致しない第２の番組があった場合はこの第２の番組の視聴を許可し、この視聴許可された前記第２の番組を画面上に第１の表示状態として表示させることを特徴とする請求項１記載の映像表示装置。
【請求項１１】
前記制御手段は前記第２の番組の前記視聴を許可すると判定し、特定の映像表示装置であった場合には、前記第２の番組を電子番組表の画面上に第１の表示状態とは異なる第２の表示状態で表示させることを特徴とする請求項１記載の映像表示装置。
【請求項１２】
前記特定の映像表示装置は、前記番組に関する視聴または録画を許可するか否かを決定することを特徴とする請求項１１記載の映像表示装置。
【請求項１３】
前記特定の映像表示装置は、学校以外の外部で前記番組に関する視聴または録画を許可するか否かを決定することを特徴とする請求項１２記載の映像表示装置。
【請求項１４】
各番組に対応した番組情報を多重して伝送するデジタル放送を受信する複数の映像表示装置がネットワーク接続されたテレビシステムにおいて、
前記複数の映像表示装置のうち、前記各番組の視聴または前記各番組の録画に対し許可するか否かを決定可能な特定の映像表示装置と、
前記特定の映像表示装置は、前記各番組の視聴を許可するための許可用のキーワードまたはジャンルに関する第１の情報を設定可能な第１の設定手段と、
前記各番組の視聴を阻止するための阻止用のキーワードまたはジャンルに関する第２の情報を設定可能な第２の設定手段と、
前記第１の設定手段によって設定された前記第１の情報と前記各番組の前記番組情報とを比較し、合致する第１の番組があった場合は前記第２の設定手段によって設定された前記第２の情報と前記第１の番組の前記番組情報とを比較し、合致しない第２の番組があった場合はこの第２の番組の視聴を許可する制御手段とを具備し、
前記制御部によって許可された前記第２の番組は、前記特定の映像表示装置以外の前記映像表示装置でも視聴可能とすることを特徴とするテレビシステム。
【請求項１５】
前記制御部によって許可された前記第２の番組は、前記特定の映像表示装置で録画可能とすることを特徴とするテレビシステム。
【発明の詳細な説明】
【技術分野】
【０００１】
この発明は、例えば学校教育現場の視聴覚教材を視聴するための映像表示装置およびテレビシステムに関する。
【背景技術】
【０００２】
学校の授業で使用する教材システムの一つとして、放映されているＴＶ番組の中から“教材として使用できる番組”を、オンエアもしくは一旦録画して後ほど再生することが知られている。これを実現するには、各教室にＴＶ受信機をそれぞれ設置し、学校全体のＴＶ受信機をネットワーク接続することで、比較的手軽に構築することができる。具体的には、録画する番組はサーバに蓄積しておき、各教室の時間割に応じて適宜再生視聴できる視聴覚教育システムが便利である。
【０００３】
この視聴覚教育システムで想定される番組は、例えば「ＭＨＫ−Ｅで放映される一般的な教育番組」だけでなく、ＭＨＫ−Ｇや民放各局で放映されるものでもよい。すなわち、「各教科の授業で教材利用できる番組」ならば何であってもよい。一例として、「歴史や社会、時事問題等の番組」／「美術関係の番組」／「音楽関係の番組」／「地元／郷土のエピソードを取り上げた番組」等が挙げられる。
【０００４】
しかしながら、視聴覚教材用途であっても、一般小売と同様の機種を学校教育現場に納入するのが通例である。よって、教室に設置されたＴＶ受信機では、上記教材目的の番組だけでなく、ありとあらゆる番組を視聴することが当然可能である。
【０００５】
そのため、授業とは関係ない娯楽番組の類も教室で視聴することができてしまい、教育現場で使用する教育用の視聴覚システムとしてはいささか不都合な面もある。つまり、現在のＴＶ受信機は、学校教育現場における視聴覚教材システムを比較的手軽に構築でき得るだけの機能を潜在的に有している。それにも拘らず、一般小売用のＴＶ受信機をそのまま学校や教育現場に導入すると、教師の目の届かないところで生徒が授業と関係ない番組を見たりすることができてしまう。そのため、学校や教育現場を預かる教員の立場では、このようなシステムの導入に及び腰となってしまうという可能性があった。
【０００６】
そこで、ＴＶ受信機側で視聴制限を設定可能とし、録画や再生等の動作に対して制限可能な装置が開発されてきている。
【先行技術文献】
【特許文献】
【０００７】
【特許文献１】特開２００１−１４５０３３号公報
【発明の概要】
【発明が解決しようとする課題】
【０００８】
上記特許文献１によれば、視聴制限を行う番組について視聴を制限する番組の条件情報として、チャンネル番号、時間帯、ジャンルの組み合わせで設定される条件情報を記憶する記憶部を備え、選局情報と、前記記憶部に記憶されている条件情報とを比較し、選局した番組が、前記記憶部に記憶されている条件情報の内容と合致している場合、選局した番組の受信を取り止めるように制御する手段を備え、放送局側の視聴制限とは別に受信装置側で視聴制限番組を選択設定可能とし、さらに番組録画、再生の際に、記憶部の条件情報と比較し、条件情報の内容と合致している場合、番組の録画、再生を取り止める、ことが開示されている。すなわち、特許文献１は従来から存在する「条件一致したら制限」という仕組みに留まっている。
【０００９】
そこで本発明が解決しようとする課題は、「デフォルトでは全阻止、許可条件に一致で一次通過、その一次通過に阻止条件を適用して最終的通過許可」という多段階の制限構成をとることが可能な映像表示装置およびテレビシステムを提供するところにある。
【課題を解決するための手段】
【００１０】
実施形態によれば、各番組に対応した番組情報を多重して伝送するデジタル放送を受信する映像表示装置において、前記各番組の視聴を許可するための許可用のキーワードまたはジャンルに関する第１の情報を設定可能な第１の設定手段と、前記各番組の視聴を阻止するための阻止用のキーワードまたはジャンルに関する第２の情報を設定可能な第２の設定手段と、前記第１の設定手段によって設定された前記第１の情報と前記各番組の前記番組情報とを比較し、合致する第１の番組があった場合は前記第２の設定手段によって設定された前記第２の情報と前記第１の番組の前記番組情報とを比較し、合致しない第２の番組があった場合はこの第２の番組の視聴を許可する制御手段とを具備することを特徴とする。
【図面の簡単な説明】
【００１１】
【図１】実施形態に係る映像表示装置のシステムを概略的に示したシステムブロック図である。
【図２】実施形態に係るテレビシステムを示した概略構成図である。
【図３】図２に示した「特定の端末」における操作画面の図であって、後ほど図４以降を使用して説明する個々の設定処理に分岐するための最上段の状態を示している。
【図４】許可用／阻止用のキーワード／ジャンル情報の設定処理に進むために、メニュー画面に含まれる「番組選別情報設定／参照」項目が選択された状態を示す画面例である。
【図５】図４で「番組選別情報設定／参照」項目が選択されて遷移した画面例である。
【図６】図５で「キーワード」項目が選択されて遷移した画面例である。
【図７】図６で「許可キーワード」項目が選択されて遷移した画面例である。
【図８】「阻止キーワード」項目が選択された画面例である。
【図９】図８で「阻止キーワード」項目が選択されて遷移した画面例である。
【図１０】「ジャンル情報」項目が選択された画面例である。
【図１１】図１０で「ジャンル情報」項目が選択されて遷移した画面例である。
【図１２】図１１で「許可ジャンル情報」項目が選択されて遷移した画面例である。
【図１３】「阻止ジャンル情報」項目が選択された画面例である。
【図１４】図１３で「阻止ジャンル情報」項目が選択されて遷移した画面例である。
【図１５】図２に示した「特定の端末」における操作画面の図であって、学校内での視聴や録画ができる番組を選別するため、個々の番組毎に視聴・録画の許可／不許可を設定する処理に進むために、ＥＰＧ画面５０３が表示された状態を表している。
【図１６】番組５０４に対する設定処理を実施するためのサブメニューが表示された状態を示す図である。
【図１７】図１６で「視聴・録画許可設定／参照」項目５１２が選択されて遷移した画面例である。
【図１８】図１６および図１７の設定処理を完了した後にＥＰＧ画面５０３が表示された状態を示している図である。
【図１９】図４乃至図１８を使用して設定した視聴・録画許可設定に基づく番組ふるい分けの条件判定のフローチャートである。
【図２０】図１９で説明した番組ふるい分けの条件判定結果に基づき、ＥＰＧ画面上における番組表示状態を切替える処理のフローチャートである。
【図２１】図１９で説明した番組ふるい分けの条件判定結果に基づき、録画済番組一覧画面上における録画済コンテンツの表示状態を切替える処理のフローチャートである。
【図２２】図１９で説明した番組ふるい分けの条件判定結果に基づき、図２に示した「特定の端末」２０６ではない一般のテレビ受信機等においてチャンネル切替を実施した場合のオンエア番組の画面表示の状態を切替える処理のフローチャートである。
【図２３】図２に示した「特定の端末」ではない一般のテレビ受信機等におけるＥＰＧ画面の図である。
【図２４】図２に示した「特定の端末」ではない一般のテレビ受信機等における録画済番組一覧画面の図である。
【図２５】図２に示した「特定の端末」ではない一般のテレビ受信機等におけるオンエア番組表示の図である。
【発明を実施するための形態】
【００１２】
以下、実施の形態について図面を参照して説明する。
【００１３】
図１は、実施形態に係る映像表示装置のシステムを概略的に示したシステムブロック図である。この実施形態では、一例として映像録画機能を搭載した映像表示装置１００（テレビ受信機）を挙げており、このテレビ受信機には、記録媒体としてハードディスクや半導体メモリが搭載されている。
【００１４】
図１に示すように、地上波放送受信用のアンテナ１０１で受信した地上デジタルテレビジョン放送信号は、入力端子１０２を介して地上デジタル放送用のチューナー部１０３に供給される。
【００１５】
一方、ＢＳ／ＣＳ放送受信用のアンテナ１０４で受信した衛星デジタルテレビジョン放送信号は、入力端子１０５を介してＢＳ／ＣＳデジタル放送用のチューナー部１０６に供給される。これら地上デジタルチューナー部１０３およびＢＳ／ＣＳデジタルチューナー部１０６は、それぞれ制御部１１８からの制御信号により所望のチャンネルの放送信号を選局し、その選局された放送信号をデコーダ部１０７に出力する。
【００１６】
デコーダ部１０７は、制御部１１８からの制御信号により、地上デジタルチューナー部１０３あるいはＢＳ／ＣＳデジタルチューナー部１０６で選局された放送信号を復調し、所望の番組を含んだＭＰＥＧ２のトランスポートストリーム（ＭＰＥＧ２−ＴＳ）を得る。さらにそのトランスポートストリーム多重化された信号のＴＳ復号処理を行い、所望の番組のデジタル映像信号および音声信号をデパケットすることによって得られたＰＥＳ（Packetized Elementary Stream）を信号処理部１０８へ出力する。また、ＴＳ復号処理によって得られたセクション情報も信号処理部１０８へ出力する。
【００１７】
信号処理部１０８は、受信したオンエアのテレビ番組の視聴時にはデコーダ部１０７から供給されたデジタル映像信号および音声信号に対して所定のデジタル信号処理を施し、グラフィック処理部１０９および音声処理部１１４に出力している。また、上記信号処理部１０８は、内蔵あるいは外付けのハードディスク（ＨＤＤ）などに記録されたコンテンツの再生時には、制御部１１８から入力されたコンテンツの再生信号を選択し、所定のデジタル信号処理を施してグラフィック処理部１０９および音声処理部１１４に出力している。
【００１８】
この信号処理部１０８の中には、図示しないセクション処理部が含まれている。この図示しないセクション処理部の働きによって、信号処理部１０８は、デコーダ部１０７から入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部１１８へ出力する。
【００１９】
制御部１１８は、上記信号処理部１０８から入力された情報からＥＰＧ（Electronic Program Guide）や字幕を表示するため画像生成処理を行い、この生成した画像情報をグラフィック処理部１０９へ出力する。
【００２０】
グラフィック処理部１０９は、（１）信号処理部１０８内の図示しないＡＶ（Audio Visual）デコーダから供給されるデジタルの映像信号と、（２）ＯＳＤ（On Screen Display）信号生成部１１０で生成されるＯＳＤ信号と、（３）データ放送による画像データと、（４）制御部１１８により生成されたＥＰＧや字幕信号とを合成して映像処理部１１１へ出力する。また、字幕放送による字幕を表示するとき、グラフィック処理部１０９は、制御部１１８からの制御による字幕情報に基づき、映像信号上に字幕情報を重畳する処理を行う。
【００２１】
上記映像処理部１１１は、入力されたデジタルの映像信号をディスプレイ１１２で表示可能なフォーマットの映像信号に変換したのち、ディスプレイ１１２に表示して映像表示させるとともに、出力端子１１３を介して外部に導出させる。
【００２２】
また、上記音声処理部１１４は、入力されたデジタルの音声信号をスピーカー１１５で再生可能なフォーマットのアナログ音声信号に変換したのち、スピーカー１１５に出力して音声再生させるとともに、出力端子１１６を介して外部に導出させる。
【００２３】
ここで、このテレビ受信機１００は、上述した各種の受信動作を含むそのすべての動作を制御部１１８によって統括的に制御されている。この制御部１１８は、ＣＰＵ（Central Processing Unit）等を内蔵しており、操作部１３３からの操作情報を受け取る。または、制御部１１８はリモートコントローラ１３２から送出された操作情報を受信部１３１を介して受信し、その操作内容が反映されるように各部をそれぞれ制御している。この場合、制御部１１８は、主としてそのＣＰＵが実行する制御プログラムを格納したＲＯＭ（Reed Only Memory）と、該ＣＰＵに作業領域を提供するＲＡＭ（Random Access Memory）と、各種の設定情報および制御情報が格納される不揮発性メモリとを利用している。
【００２４】
この制御部１１８は、カードＩ／Ｆ（Interface）１２８を介して、メモリカード１３０が装着可能なカードホルダー１２９に接続されている。これにより、制御部１１８はカードホルダー１２９に装着されたメモリカード１３０と、カードＩ／Ｆ１２８を介して情報伝送することができる。
【００２５】
また、この制御部１１８は通信Ｉ／Ｆ１２６を介して通信端子１２７に接続されている。この通信Ｉ／Ｆ１２６および通信端子１２７は、具体的には、たとえばＬＡＮＩ／ＦおよびＬＡＮ端子、あるいはＵＳＢＩ／ＦおよびＵＳＢ端子などとして実装される。これにより、この制御部１１８は通信端子１２７に接続された各種の機器と通信Ｉ／Ｆ１２６を介して情報伝送することができる。
【００２６】
さらに、この制御部１１８は例えばＨＤＭＩ(登録商標)のような映像・音声信号／制御信号を一体伝送することができる通信Ｉ／Ｆ１２４を介して通信端子１２５に接続されている。これにより、この制御部１１８は通信端子１２５に接続された各種のＨＤＭＩ(登録商標)機器と通信Ｉ／Ｆ１２４を介して映像・音声信号と制御信号とを一体化した形で情報伝送することができる。
【００２７】
加えて、この制御部１１８は通信Ｉ／Ｆ１１９を介して内蔵ＨＤＤ１２０に接続されている。これにより、この制御部１１８は内蔵ＨＤＤ１２０と通信Ｉ／Ｆ１１９を介して情報伝送することができる。具体的には、受信した放送番組を内蔵ＨＤＤ１２０に録画し、また、内蔵ＨＤＤ１２０に録画された放送番組を再生して視聴することができる。
【００２８】
併せて、この制御部１１８は通信Ｉ／Ｆ１２１を介して、外付けＨＤＤ１２３が装着可能な通信端子１２２に接続されている。これにより、制御部１１８は通信端子１２２に装着された外付けＨＤＤ１２３と通信Ｉ／Ｆ１２１を介して情報伝送することができる。具体的には、受信した放送番組を外付けＨＤＤ１２３に録画し、また、外付けＨＤＤ１２３に録画された放送番組を再生して視聴することができる。
【００２９】
図２は、実施形態に係るテレビシステムを示した概略構成図である。学校全体における本発明のテレビシステム２０１は、図２に示すように、「特定の端末」であるところのテレビ受信機２０７と、各教室に配置された複数のテレビ受信機（２１５、２１７、２１９、２２０、２２１）と、いくつかのテレビ受信機に接続されている映像レコーダ装置（２０８、２１６）と、録り溜めたコンテンツを複数のテレビ受信機から再生視聴することが可能である番組サーバ装置２２３などから構成されている。そして、これらの機器が学校内に敷設されたＬＡＮ回線２０５を介して相互接続されている。また、アンテナ２０２で受信した放送波は、分配器２０３で適宜分配された後、信号ケーブル２０４を介して個々のテレビ受信機、映像レコーダ装置、番組サーバ装置に入力される。なお、図示しないがケーブルテレビの形態等で学校外から配信された放送波に対しても同様である。また、テレビ受信機２０７のシステムブロック構成は、図１で説明したシステムブロックと同じものとする。
【００３０】
このテレビシステム２０１を構成する各テレビ受信機は外部機器との接続は自由である。例えば、テレビ受信機２０７および２１５は、それぞれ映像レコーダ装置２０８および２１６が接続されているが、別のテレビ受信機２１７および２２１は外付けＨＤＤ２１８および２２２が接続されている。また、テレビ受信機２１９および２２０などは特段の外部機器との接続はなされていない。
【００３１】
なお、これらテレビ受信機に接続された外部機器に録画されたコンテンツは、個々の機器の設定内容や接続状態（たとえばＤＬＮＡ接続）に応じて、当該機器が接続されたテレビ受信機のみ再生視聴可能としてもよい。あるいは、このテレビシステム２０１を構成する他のテレビ受信機で再生視聴可能としてもよい。
【００３２】
本発明の番組ふるい分け処理を設定するための「特定の端末」２０６は、たとえば職員室などの、生徒が容易に操作することができない場所に設置される。この「特定の端末」２０６で設定された番組ふるい分け処理の設定内容は、ＬＡＮ回線２０５を介して相互接続されている他のテレビ受信機や映像レコーダ装置や番組サーバ装置に反映されるものとする。すなわち、放送番組を教育用の視聴覚教材として利用する場合、そのふるい分け処理の設定は限られた「特定の端末」のみで実施可能としており、各教室に設置されたテレビ受信機等で生徒が容易に設定の変更を行うことはできないようにする。
【００３３】
この「特定の端末」としては、例えばこのような設定処理を実施可能としたテレビ受信機２０７を想定しているが、必ずしもテレビ受信機という形態に限られるものではない。後ほど図３以降を用いた説明では、便宜上テレビ受信機の形態である「特定の端末」として説明を行うが、本発明の主旨としては「特定の端末」の形態がテレビ受信機である必要はない。たとえばパーソナルコンピューター２０９であってもよいし、さらにはタブレットコンピューター２１０などであってもよい。
【００３４】
また、本発明の番組ふるい分け処理を学校内に設置した「特定の端末」２０６で実施する形態に必ずしも限られるものではない。たとえば、番組ふるい分け処理の設定は学校と契約した外部の管理会社にて実施する場合でもよい。この場合、当該管理会社で設定した内容を学校内のテレビシステム２０１を構成するテレビ受信機等に反映させるような形態を採ることにより、よりいっそう、生徒の手が届きにくい状態となる。
【００３５】
図２にはその場合の例も示しており、たとえばルーター２１１経由で学校外のインターネット回線２１２を介して管理会社２１３と接続し、当該管理会社内に設置された「特定の端末」２１４で番組ふるい分け処理の設定を行うことも可能としている。この場合、学校内に設置した「特定の端末」２０６は、外部の管理会社２１３で設定したふるい分け処理の設定内容のモニターとして使用する。つまり、「特定の端末」２０６はふるい分け処理の設定内容の変更等を外部の管理会社に依頼する際の設定内容の確認に使用するなどの用途に供される。なお、ここでは「特定の端末」２１４は、パーソナルコンピューターの形態を採っているが、機器の形態は必ずしもこれに限らない。
【００３６】
以後は、便宜上、「特定の端末」がテレビ受信機の形態を採る場合を例として説明を行う。
【００３７】
図３は、図２に示した「特定の端末」２０６における操作画面の図であって、後ほど図４以降を用いて説明する個々の設定処理に分岐するための最上段の状態を示している。
【００３８】
例えば、テレビ受信機３０１である「特定の端末」の画面３０２上に、ここでは諸般の設定処理を行うためのメニュー画面３０３が表示されている。このメニュー画面３０３に含まれる設定項目の中に、本発明の番組ふるい分け処理の設定を行うための項目が含まれる。一つは「番組選別情報設定／参照」項目３０５であり、この項目を選択することで許可用／阻止用のキーワード／ジャンル情報の設定処理に進むものである。なお、許可用のキーワード情報／ジャンル情報を第１のキーワード情報／ジャンル情報とし、阻止用のキーワード情報／ジャンル情報を第２のキーワード情報／ジャンル情報と称してもよい。もう一つは「番組視聴可否設定／参照」項目３０６であり、これはキーワードやジャンル情報に拠らず、個々の番組毎に視聴可否の設定を行う処理に進むものである。なお、この図３の状態ではこれらの項目３０５や項目３０６は選択されておらず、これら以外の何らかの項目３０４にフォーカスが当たっているものとする。
【００３９】
図４乃至図１４は、図２に示した「特定の端末」２０６における操作画面の図であって、学校内での視聴や録画ができる番組を選別するための許可用／阻止用のキーワード／ジャンル情報の設定処理の一連の流れを示す図である。
【００４０】
まず、図４は許可用／阻止用のキーワード／ジャンル情報の設定処理に進むために、メニュー画面４０３に含まれる「番組選別情報設定／参照」項目４０４が選択された状態を示している。たとえば、テレビ受信機のリモコン装置を操作して「番組選別情報設定／参照」項目４０４にフォーカスを当てて決定ボタンを押すなどのユーザー操作により、当該項目の処理を起動することが可能となる。
【００４１】
図５は、図４で「番組選別情報設定／参照」項目４０４が選択されて遷移した画面であり、選別情報としてキーワードを設定するか、あるいはジャンル情報を設定するかを選択するための画面である。この図５の例では、「キーワード」項目４０７を選択したものと仮定する。
【００４２】
図６は、図５で「キーワード」項目４０７が選択されて遷移した画面であり、許可用のキーワードを設定するか、あるいは阻止用のキーワードを設定するかを選択するための画面である。この図６の例では、「許可キーワード」項目４１０を選択したものと仮定する。
【００４３】
図７は、図６で「許可キーワード」項目４１０が選択されて遷移した画面であり、実際に許可用のキーワードの設定作業を実施したり、あるいは登録済みのキーワードを参照するための画面である。ここでは許可キーワード設定／参照画面４１２（第１の設定手段）が表示されており、入力キーワード表示欄４１３と「特定の端末」２０６が有する適切な入力手段を使用して許可用のキーワード（第１の情報）を入力する。入力に関しては、例えば、「特定の端末」がテレビ受信機の場合はリモコン装置、パーソナルコンピューターの場合はキーボード、タブレットコンピューターであればタッチパネルなどが例として挙げられる。入力の後、画面上の登録ボタン４１６を選択することによって正式に許可用のキーワードとして登録される。既に登録されているキーワード群は、登録済キーワード一覧表示欄４１４にて参照することができる。一度に表示しきれないほど多くのキーワードが登録済みの場合は、前のページボタン４１５や次のページボタン４１８を使用して登録済キーワード一覧表示欄４１４の表示内容を切替えることができる。また、登録済キーワード一覧表示欄４１４に表示されている登録済みのキーワードを適宜選定して削除ボタン４１７を選択することにより、登録済みの許可用キーワードを削除することも可能である。
【００４４】
一方、図８は図６の別の例であり、「阻止キーワード」項目４１１が選択されたと仮定した場合を示している。
【００４５】
図９は、図８で「阻止キーワード」項目４１１が選択されて遷移した画面であり、実際に阻止用のキーワードの設定作業を実施したり、あるいは登録済みのキーワードを参照するための画面である。ここでは阻止キーワード設定／参照画面４１９（第２の設定手段）が表示されており、入力キーワード表示欄４２０と「特定の端末」２０６が有する適切な入力手段を使用して阻止用のキーワード（第２の情報）を入力する。入力の後、画面上の登録ボタン４２３を選択することによって正式に阻止用のキーワードとして登録される。既に登録されているキーワード群は、登録済キーワード一覧表示欄４２１にて参照することができる。一度に表示しきれないほど多くのキーワードが登録済みの場合は、前のページボタン４２２や次のページボタン４２５を使用して登録済キーワード一覧表示欄４２１の表示内容を切替えることができる。また、登録済キーワード一覧表示欄４２１に表示されている登録済みのキーワードを適宜選定して削除ボタン４２４を選択することにより、登録済みの阻止用キーワードを削除することも可能である。
【００４６】
次に、図１０は図５の別の例であり、「ジャンル情報」項目４０８が選択されたと仮定した場合を示している。
【００４７】
図１１は、図１０で「ジャンル情報」項目４０８が選択されて遷移した画面であり、許可用のジャンル情報を設定するか、あるいは阻止用のジャンル情報を設定するかを選択するための画面である。この図１１の例では、「許可ジャンル情報」項目４２７を選択したものと仮定する。
【００４８】
図１２は、図１１で「許可ジャンル情報」項目４２７が選択されて遷移した画面であり、実際に許可用のジャンル情報の設定作業を実施したり、あるいは登録済みのジャンル情報を参照するための画面である。ここでは許可ジャンル情報設定／参照画面４２９（第１の設定手段）が表示されている。番組のジャンル情報は、たとえばＡＲＩＢ（Association of Radio Industries and Business）規格ＳＴＤ−Ｂ１０などで規定されており、該規格記載のように番組配列情報のコンテント記述子（Content Descriptor）の中でジャンル指定を行うことによって個々の番組に対してその番組のジャンル情報が付与される。なお、上記ではＡＲＩＢ規格について説明したが、ＡＲＩＢ規格だけでなく米国における放送方式ＡＴＳＣ(Advanced Television Systems Committee)や欧州の放送方式ＤＶＢ−Ｔ(Digital Video Broadcasting Terrestrial)であってもよい。
【００４９】
登録候補ジャンル一覧表示欄４３２には設定の候補となりうるジャンル情報のリストが用意されており、ここから所望のジャンル情報を適宜選定した後、登録ボタン４３３を選択することによって正式に許可用のジャンル情報（第１の情報）として登録される。既に登録されているジャンル情報は、登録済ジャンル一覧表示欄４３１にて参照することができる。また、登録済ジャンル一覧表示欄４３１に表示されている登録済みのジャンル情報を適宜選定して削除ボタン４３４を選択することにより、登録済みのジャンル情報を削除することも可能である。
【００５０】
図１３は、図１１の別の例であり、「阻止ジャンル情報」項目４２８が選択されたと仮定した場合を示している。
【００５１】
図１４は、図１３で「阻止ジャンル情報」項目４２８が選択されて遷移した画面であり、実際に阻止用のジャンル情報の設定作業を実施したり、あるいは登録済みのジャンル情報を参照するための画面である。ここでは、阻止ジャンル情報設定／参照画面４３９（第２の設定手段）が表示されている。これは図１２の許可ジャンル情報設定／参照画面４２９に準じており、登録候補ジャンル一覧表示欄４４２には設定の候補となりうるジャンル情報のリストが用意されている。そして、ここから所望のジャンル情報を適宜選定した後、登録ボタン４４３を選択することによって正式に阻止用のジャンル情報（第２の情報）として登録される。既に登録されているジャンル情報は、登録済ジャンル一覧表示欄４４１にて参照することができる。また、登録済ジャンル一覧表示欄４４１に表示されている登録済みのジャンル情報を適宜選定して削除ボタン４４４を選択することにより、登録済みのジャンル情報を削除することも可能である。
【００５２】
以上、図４乃至図１４として説明した手順により、図２に示した「特定の端末」２０６を使用して、学校内での視聴や録画ができる番組を選別するための許可用／阻止用のキーワード／ジャンル情報が設定される。この設定操作は、図２に示した「特定の端末」２０６で実施可能であるが、学校全体における「特定の端末」２０６以外のテレビ受信機／映像レコーダ装置／番組サーバ装置では実施できない。なお、番組ふるい分け処理の設定を学校と契約した外部の管理会社２１３で実施する場合は、学校内に設置した「特定の端末」２０６は図４乃至図１４で説明した設定操作は実施できない。ただし、図４乃至図１４に示した各画面に遷移して設定内容を確認することは可能とする。
【００５３】
図１５乃至図１８は、図２に示した「特定の端末」２０６における操作画面の図であって、学校内での視聴や録画ができる番組を選別するため、個々の番組毎に視聴・録画の許可／不許可を設定する処理の一連の流れを示す図である。
【００５４】
図４乃至図１４を用いて説明した手段により、番組情報を解釈して学校内で視聴・録画を許可する番組／許可しない番組のふるい分けを実施するためのキーワードやジャンル情報を設定できる。しかし、番組に付帯する番組情報の粒度は当該番組を送出する放送局によって違いがあるため、場合によってはキーワードやジャンル情報だけでは十分なふるい分け効果が得られない場合もある。このような場合には、以下に述べるように個々の番組毎に手動で視聴・録画の許可／不許可を設定することを可能とする。
【００５５】
まず図１５は、個々の番組ごとに視聴・録画の許可／不許可を設定する処理に進むために、ＥＰＧ（Electronic Program Guide：電子番組表）画面５０３が表示された状態を示している。これは、たとえば図４のメニュー画面４０３に含まれる「番組視聴可否設定／参照」項目４０５を選択することでＥＰＧ画面に遷移してもよいし、直接ＥＰＧ画面の表示操作（リモコン装置のＥＰＧボタン押下など）を行うことで表示されてもよい。この図１５のＥＰＧ画面５０３では、既に設定済みの番組ふるい分け処理の結果として視聴・録画が許可された番組群（５０６、５０７、５０８）が通常の状態で表示されている。それ以外の番組はグレーアウト表示５０９されることで「番組の存在は判別できるが、許可されていない」という状況であることを明示している。ここで、何らかの事情により視聴・録画か許可されていないものの、手動設定により視聴・録画を許可する形に設定を変更したい番組５０４が選択されている。
【００５６】
図１６では、当該番組５０４に対する設定処理を実施するためのサブメニュー５１１が表示された状態を示している。ここで、当該番組５０４に対する視聴・録画許可設定を変更するために、「視聴・録画許可設定／参照」項目５１２が選択されている。
【００５７】
図１７は、図１６で「視聴・録画許可設定／参照」項目５１２が選択されて遷移した画面であり、当該番組５０４に対する視聴・録画の許可設定作業を実施したり、あるいは設定済みの番組リストを参照するための画面である。ここでは視聴・録画許可設定／参照画面５１３が表示されており、手動で視聴・録画の許可設定を試みたい対象番組５０４の番組名が表示欄５１４に表示されている。この状態で画面上の登録ボタン５１５を選択することにより、当該番組が視聴・録画の許可対象番組として正式に登録される。既に登録されている番組群は登録済視聴・録画許可番組一覧表示欄５１７にて参照することができる。一度に表示しきれないほど多くの番組が登録済みの場合は、前のページボタン５１８や次のページボタン５１９を使用して登録済視聴・録画許可番組一覧表示欄５１７の表示内容を切替えることができる。また、登録済視聴・録画許可番組一覧表示欄５１７に表示されている登録済みのキーワードを適宜選定して削除ボタン５１６を選択することにより、視聴・録画の許可対象番組を削除することも可能である。
【００５８】
図１８は、図１６および図１７の設定処理を完了した後にＥＰＧ画面５０３が表示された状態を示している。ここでは今般の視聴・録画許可設定の変更対象である番組５０４が、図１６および図１７の設定処理によって正式に視聴・録画の許可対象番組として登録されたものとして、ＥＰＧ画面上に通常の状態で表示されている。また、ＥＰＧ画面下段に当該番組の番組名表示欄５０５があるが、ここでは当該番組の番組名に加えて、該番組が正式に視聴・録画の許可対象番組として登録されたものであることを示す印５２０も新たに表示されている。
【００５９】
以上、図１５乃至図１８で説明した手順により、図２に示した「特定の端末」２０６を使用して、キーワード／ジャンル情報と番組情報とを比較することによる番組ふるい分け処理から漏れてしまった番組に対して個別に手動で視聴・録画の許可／不許可設定を施すことができる。この設定操作は図２に示した「特定の端末」２０６で実施可能であるが、学校全体における本発明のテレビシステム２０１を構成している“「特定の端末」２０６以外”のテレビ受信機／映像レコーダ装置／番組サーバ装置では実施できない。なお、番組ふるい分け処理の設定を学校と契約した外部の管理会社２１３で実施する場合、学校内に設置した「特定の端末」２０６は図１５乃至図１８で説明した設定操作は実施できない。ただし、図１５乃至図１８に示した各画面に遷移して設定内容を確認することは可能とする。
【００６０】
図１９は、図４乃至図１８を使用して設定した視聴・録画許可設定に基づく番組ふるい分けの条件判定のフローチャートである。ここでは番組ふるい分け条件判定の核となる処理についてのみ説明し、その条件判定の結果を使用した処理については、図２０以降を使用して別途説明する。なお、図１９乃至図２２では例えば「特定の端末」２０６であるところのテレビ受信機２０７が番組ふるい分け条件判定の処理を行っているものとする。
【００６１】
まず、ステップＳ１０１では、テレビ受信機２０７の制御部１１８は判定対象の番組に番組情報があるか否かを判断して処理を分岐している。番組情報が付帯している場合には次の処理Ｓ１０２に進み、何らかの事情で番組情報が付帯していない場合には後述するステップＳ１０５へ分岐する。
【００６２】
ステップＳ１０２では、制御部１１８が当該番組の番組情報を評価対象として、図４乃至図７、図１０、図１１で説明した許可ジャンル情報や許可キーワード（第１の情報）と合致しているか否かを判断して処理を分岐している。許可ジャンル情報や許可キーワードと合致している場合（第１の番組と判定）には次のステップＳ１０３に進み、合致しない場合（第３の番組と判定）は後述するステップＳ１０５へ分岐する。
【００６３】
ステップＳ１０３では、制御部１１８が当該番組の番組情報を評価対象として、図８乃至図１０、図１３、図１４で説明した阻止ジャンル情報や阻止キーワード（第２の情報）と合致していないか否かを判断して処理を分岐している。阻止ジャンル情報や阻止キーワードと合致していない場合（第２の番組と判定）にはステップＳ１０４へ進み、視聴や録画を許可する番組であると判定して一連の処理を終了する。一方、阻止ジャンル情報や阻止キーワードと合致している場合（第４の番組と判定）はステップＳ１０５へ分岐する。
【００６４】
ステップＳ１０５では、制御部１１８は番組情報が付帯していない番組、あるいは許可ジャンル情報や許可キーワードと合致していない番組（第３の番組）、または阻止ジャンル情報や阻止キーワードと合致していると判断された番組（第４の番組）に対して、個別に手動で視聴・録画の許可を設定した番組であるか否かを判断して処理を分岐している。手動で視聴・録画の許可を設定した番組である場合にはステップＳ１０４へ進み、視聴や録画を許可する番組であると判定して一連の処理を終了する。一方、手動で視聴・録画の許可を設定した番組ではない場合にはステップＳ１０６へ進み、視聴や録画を許可しない番組であると判定して一連の処理を終了する。以上のように、評価対象の番組が視聴・録画を許可する番組であるか否かを判定している。
【００６５】
図２０は、図１９で説明した番組ふるい分けの条件判定結果に基づき、ＥＰＧ画面上における番組表示状態を切替える処理のフローチャートである。
【００６６】
まずステップＳ２０１では、テレビ受信機２０７の制御部１１８はＥＰＧ画面への表示候補である番組に対し、図１９で説明した番組ふるい分け条件判定を実施している。
【００６７】
次のステップＳ２０２では、制御部１１８はステップＳ２０１の番組ふるい分け条件判定結果を判断して処理を分岐している。ステップＳ２０１の番組ふるい分け条件判定の結果、視聴・録画を許可する番組であると判定された場合には、続くステップＳ２０３に進み当該番組を通常の状態でＥＰＧ画面に表示して一連の処理を終了する（第１の表示状態）。一方、視聴・録画を許可しない番組であると判定された場合にはステップＳ２０４へ分岐する。
【００６８】
ステップＳ２０４では、制御部１１８はこのＥＰＧ画面を表示する機器が図２に示した「特定の端末」２０６（テレビ受信機２０７を含む）であるか否かを判断して処理を分岐している。図２に示した「特定の端末」２０６である場合はステップＳ２０５へ進み、当該番組を通常とは違えた状態で表示して一連の処理を終了する（第２の表示状態）。この通常とは違えた状態とは、例えば薄く表示したり、あるいはグレーをオーバーレイした状態で表示するなど、その番組の存在自体は認識できるものの、視聴・録画を許可する番組とは明確に識別できる状態を指す。一方、図２に示した「特定の端末」２０６（テレビ受信機２０７を含む）ではない通常のテレビ受信機等である場合にはステップＳ２０６に進み、当該番組はＥＰＧ画面上に表示させないこととして一連の処理を終了する。以上のように、視聴・録画を許可する番組と許可しない番組とで条件を違えた状態でＥＰＧ画面が表示される。
【００６９】
図２１は、図１９で説明した番組ふるい分けの条件判定結果に基づき、録画済番組一覧画面上における録画済コンテンツの表示状態を切替える処理のフローチャートである。
【００７０】
本発明のテレビシステムを構成するテレビ受信機（録画機能を有する機器）／映像レコーダ装置／番組サーバ装置を使用して自己録画を行ったコンテンツについては、そもそも本発明の番組ふるい分け条件を適用した上で録画を実施している。しかしながら、このテレビシステムを構成していない外部の機器で録画したコンテンツをこのテレビシステム内のストレージデバイスにダビングしてきた場合はその限りではない。つまり、ダビングしてきた時点で設定条件によっては視聴が許可されない状態のコンテンツがこのテレビシステム内のストレージデバイス内に存在することがあり得る。即ち、図３乃至図１４で説明した設定処理での条件変更や図１９で説明した手動での視聴・録画設定許可が実施されていないからである。このようなケースを前提として、以下で録画済番組一覧画面上における録画済コンテンツの表示状態を切替える処理について述べる。
【００７１】
まずステップＳ３０１では、録画済番組一覧画面への表示候補であるコンテンツに対し、図１９で説明した番組ふるい分け条件判定を実施している。
【００７２】
そして、次のステップＳ３０２では、テレビ受信機２０７の制御部１１８はステップＳ３０１の番組ふるい分け条件判定結果を判断して処理を分岐している。ステップＳ３０１の番組ふるい分け条件判定の結果、視聴・録画を許可するコンテンツであると判定された場合には、続くステップＳ３０３に進んで当該コンテンツを通常の状態で録画済番組一覧画面に表示して一連の処理を終了する。一方、視聴・録画を許可しないコンテンツであると判定された場合にはステップＳ３０４へ分岐する。
【００７３】
ステップＳ３０４では、制御部１１８はこの録画済番組一覧画面を表示する機器が図２に示した「特定の端末」２０６（テレビ受信機２０７を含む）であるか否かを判断して処理を分岐している。図２に示した「特定の端末」２０６（テレビ受信機２０７を含む）である場合はステップＳ３０５へ進み、当該コンテンツを通常とは違えた状態で表示して一連の処理を終了する。この通常とは違えた状態とは、例えば薄く表示したり、あるいはグレーをオーバーレイした状態で表示するなど、そのコンテンツの存在自体は認識できるものの、視聴・録画を許可するコンテンツとは明確に識別できる状態を指す。一方、図２に示した「特定の端末」２０６ではない通常のテレビ受信機等である場合にはステップＳ３０６に進み、当該コンテンツは録画済番組一覧画面上に表示させないこととして一連の処理を終了する。以上のように、視聴・録画を許可するコンテンツと許可しないコンテンツとで条件を違えた状態で録画済番組一覧画面が表示される。
【００７４】
図２２は、図１９で説明した番組ふるい分けの条件判定結果に基づき、図２に示した「特定の端末」２０６ではない一般のテレビ受信機等においてチャンネル切替を実施した場合のオンエア番組の画面表示の状態を切替える処理のフローチャートである。なお、一般のテレビ受信機においても当然ソフトウェアを起動する制御部（図示しない）を有しており、以下の判断フローにおいてこの制御部が制御する。
【００７５】
まずステップＳ４０１では、制御部はテレビ受信機等のチャンネル切替操作を実施し、視聴の候補となる番組を特定する。
【００７６】
そして、続くステップＳ４０２では、当該視聴候補番組に対し、図１９で説明した番組ふるい分け条件判定を実施している。
【００７７】
次のステップＳ４０３では、一般のテレビ受信機の制御部はステップＳ４０２の番組ふるい分け条件判定結果を判断して処理を分岐している。ステップＳ４０２の番組ふるい分け条件判定の結果、制御部は視聴・録画を許可する番組であると判定された場合には、続くステップＳ４０４に進んで当該視聴候補番組を通常の状態で画面表示して一連の処理を終了する。一方、視聴・録画を許可しない番組であると判定された場合にはステップＳ４０５へ分岐し、当該視聴候補番組は画面表示させず視聴不可能として一連の処理を終了する。この場合、テレビ受信機の画面は黒画面や青画面の状態としてもよいし、あるいは「番組の視聴はできません。」などという文言を画面表示するような形としてもよい。以上のように、視聴・録画を許可するコンテンツと許可しないコンテンツとで条件を違えた状態でオンエア番組の画面表示が実施される。
【００７８】
図２３は、図２に示した「特定の端末」２０６ではない一般のテレビ受信機等におけるＥＰＧ画面の図である。
【００７９】
ここでは、図２０のフローチャートで説明したように、視聴・録画を許可しない番組はＥＰＧ画面上に表示されておらず、視聴・録画を許可された番組のみをあえて歯抜け状態で表示している。なお、このテレビ受信機のＥＰＧ画面１００３は現在および未来のオンエア番組のみを表示するだけでなく、既に過去の時間帯に放映されて本発明のテレビシステム内のストレージデバイスに録画されているコンテンツについても表示する。すなわち、ＥＰＧ画面の形で統一したユーザーインタフェースにて録画済コンテンツを併せて表示するという形式を採っている。このＥＰＧ画面１００３では、現在の時間帯をマーク１０１３およびマーク１０１４で示しており、この時間帯以降の番組１００９、１０１０、１０１１は現在及び未来の時間帯における視聴・録画が許可された番組である。それ以前の時間帯に存在するコンテンツ１００４、１００６、１００７、１００８等は録画済のコンテンツがＥＰＧ画面の形態で表示されているものである。
【００８０】
この図２３のＥＰＧ画面１００３では、既に録画済のコンテンツ１００４にフォーカスを当てているが、ＥＰＧ画面の下段にある表示欄では当該コンテンツのコンテンツ名１００５が表示されている。また、このコンテンツ名１００５に加えて、当該コンテンツがオンエア番組ではなく録画済コンテンツであることを示すマーク１０１５と、当該コンテンツがこのテレビシステム内の複数のストレージデバイスに重複録画されていることを示すマーク１０１６が表示されている。さらには、ＥＰＧ画面１００３は録画先のストレージデバイス名１０１７等も併せて表示されている。なお、録画先のストレージデバイス名１０１７は、画面表示の文字数の都合上、ここでは部分的な表示に留まっている。
【００８１】
図２４は、図２に示した「特定の端末」２０６ではない一般のテレビ受信機等における録画済番組一覧画面の図である。ここでは、図２１のフローチャートを使用して説明したように、視聴・録画を許可されたコンテンツのみが表示されている。
【００８２】
この図２４には、録画済番組一覧表示画面１１０３が表示されており、図２３のＥＰＧ画面上で過去の時間帯の部分に表示されていたものを含む、本発明のテレビシステム内のストレージデバイスに録画されているコンテンツの一覧１１０４が示されている。一例として、適宜な録画済コンテンツにフォーカスを当てて説明すると、当該コンテンツの名称１１０５と、そのコンテンツが放映されたチャンネル名１１０６、および録画年月日１１０７が表示されている。またここでは、当該コンテンツがテレビシステム内の複数のストレージデバイスに重複して録画されている場合に、その録画先のストレージデバイス名一式１１０８も併せて表示されている。
【００８３】
図２５は、図２に示した「特定の端末」２０６ではない一般のテレビ受信機等におけるオンエア番組表示の図である。
【００８４】
ここでは、図２２のフローチャートを使用して説明したように、視聴・録画を許可されない番組の視聴ができない状態を示している。この図２５では、チャンネル切替を実施して選択された番組が視聴・録画を許可されない番組である場合、画面上に「番組の視聴はできません。」という文言１２０３を表示している。しかし、図２２の説明で述べたように、このような文言を表示することなく青画面や黒画面のままとしてもよい。
【００８５】
以上のように本発明について説明したが、本発明のポイントを以下に纏める。
【００８６】
（１）「許可用としての第１のキーワード情報／ジャンル情報」と、「阻止用としての第２のキーワード情報／ジャンル情報」を設定可能な仕組みを持ち、さらにこの第１または第２のキーワード情報／ジャンル情報と番組に付帯する番組情報とを比較する仕組みも持つ。
【００８７】
（２）チューナーを介してオンエア表示可能な視聴用の番組、およびサーバ等のストレージデバイスから再生した録画済の番組に対し、第１のキーワード情報／ジャンル情報に合致するもののみを表示候補番組とする。第１のキーワード情報／ジャンル情報の条件に合致しない番組は、画面表示はおろか、ＥＰＧにも表示させない。
【００８８】
（３）更に、第１のキーワード情報／ジャンル情報に合致した表示候補番組のうち、第２のキーワード情報／ジャンル情報に合致しないもののみを、最終的に表示可能な番組とする。第２のキーワード情報／ジャンル情報の条件に合致する番組は、たとえ第１のキーワード情報／ジャンル情報による条件判定をクリアしていても、画面表示させない。
【００８９】
（４）第１および第２のキーワード情報／ジャンル情報による条件判定をクリアした番組のみを視聴可能とする。ＥＰＧ上でもこの番組のみを表示する。
【００９０】
これらの効果としては、第１および第２のキーワード情報／ジャンル情報を用いてふるいに掛けた番組のみを視聴可能とし、それ以外の番組は学校では一切視聴不可能とする。これにより、授業とは関係ない番組を生徒が学校で視聴することを防ぐことができ、学校教育現場を運営する教員たるユーザの利便性を向上させることができる。
【００９１】
さらに本発明では、以下構成についても工夫している。
【００９２】
（５）オンエア／ストレージデバイスからの再生を問わず、番組情報が付帯していない、もしくは番組情報の内容が不十分であって第１または第２のキーワード情報／ジャンル情報を使用するふるい分け処理が十分に機能しない場合に備えて、「手動で視聴許可／不許可を設定可能な仕組み」をさらに持つ。このような番組については、手動で許可設定された番組であれば教室で視聴可能とする。
【００９３】
なお、ストレージデバイスに蓄積する番組ならば、独自情報として「許可フラグ」を設ける。オンエア視聴の場合は、別途、「番組名」「放送局」「放映時間帯」などを許可／不許可の情報として使用する形などが考えられる。
【００９４】
この効果としては、番組に付帯する番組情報の粒度は放送局によって違いがあり、上記（１）乃至（４）の第１／第２のキーワード情報／ジャンル情報だけでは十分な判定ができない場合であっても、手動設定操作により同等の効果を期待することができる。
【００９５】
（６）第１／第２のキーワード情報／ジャンル情報の設定操作、および手動による視聴許可／不許可の設定操作は、この視聴覚システムを構成するすべてのＴＶ受信機での操作を可能とはしていない。ある「特定の端末」でのみ操作可能とし、その内容をネットワーク接続された、この視聴覚システムを構成する他のすべてのＴＶ受信機に対して適用するものとする。なお、その「特定の端末」は、例えば「職員室に設置したテレビ」であってもよく、あるいはＴＶ受信機ではなくＰＣやタブレット端末のようなものであってもよい。      さらには、学校内には設置せず、例えば当該視聴覚システムを設置した学校と契約した学校外の管理会社に設置して操作するような形態でもよい。
【００９６】
これらの効果としては、ＩＴ機器の操作に長けた昨今の生徒に容易に上記設定を変更されるリスクを低減し、学校教育現場を運営する教員たるユーザの利便性を向上させることができる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１００・・・テレビジョン装置（テレビ受信機）、１０８・・・信号処理部、１１１・・・映像処理部、１１２・・・ディスプレイ、１１４・・・音声処理部、１１８・・・制御部、１２０・・・内蔵ＨＤＤ部、１２３・・・外付ＨＤＤ部、２０１・・・テレビシステム 
【図１】
2015019173.tif 000003
【図２】
2015019173.tif 000004
【図３】
2015019173.tif 000005
【図４】
2015019173.tif 000006
【図５】
2015019173.tif 000007
【図６】
2015019173.tif 000008
【図７】
2015019173.tif 000009
【図８】
2015019173.tif 000010
【図９】
2015019173.tif 000011
【図１０】
2015019173.tif 000012
【図１１】
2015019173.tif 000013
【図１２】
2015019173.tif 000014
【図１３】
2015019173.tif 000015
【図１４】
2015019173.tif 000016
【図１５】
2015019173.tif 000017
【図１６】
2015019173.tif 000018
【図１７】
2015019173.tif 000019
【図１８】
2015019173.tif 000020
【図１９】
2015019173.tif 000021
【図２０】
2015019173.tif 000022
【図２１】
2015019173.tif 000023
【図２２】
2015019173.tif 000024
【図２３】
2015019173.tif 000025
【図２４】
2015019173.tif 000026
【図２５】
2015019173.tif 000027